(57)【要約】      （修正有）【課題】排水管の周囲において、前後方向に調整不能となる範囲が生じることを抑制することができる排水ソケットを提供する。【解決手段】便器の排出口と、床面に配設された排水管とを接続する排水ソケット４０において、一端が床面の排水管に接続され、他端に開口が形成される床面側接続管５０と、一端が開口に対して回転自在に接続され、他端に排出口が接続される排出口接続部６２が形成され、排出口接続部６２の中心軸が開口の中心軸から偏心している便器側接続管６０と、を備えるようにした。【選択図】図２
2016084584.tif 000002
【特許請求の範囲】
【請求項１】
便器の排出口と、床面に配設された排水管とを接続する排水ソケットであって、
一端が前記床面の前記排水管に接続され、他端に開口が形成される床面側接続管と、
一端が前記開口に対して回転自在に接続される開口接続部が形成され、他端に前記排出口が接続される排出口接続部が形成され、前記排出口接続部の中心軸が前記開口接続部の中心軸から偏心している便器側接続管と、
を備える排水ソケット。
【請求項２】
前記床面側接続管、及び、前記便器側接続管の少なくとも一方には、
前記開口の中心軸に対する前記排出口接続部の中心軸の位置を示す位置確認手段が形成されている請求項１に記載の排水ソケット。
【請求項３】
前記位置確認手段は、
前記床面側接続管において前記開口の周囲に形成され、前記便器側接続管の前記床面側接続管に対する回転角度を表示する目盛部と、
前記便器側接続管に形成され、前記目盛部を指す指針部と、
を備える請求項２に記載の排水ソケット。
【請求項４】
前記位置確認手段は、
前記床面側接続管において前記開口の周囲に形成され、前記便器側接続管の前記便器の前後方向における偏心距離を表示する目盛部と、
前記便器側接続管に形成され、前記目盛部を指す指針部と、
を備える請求項２に記載の排水ソケット。
【請求項５】
前記床面側接続管は、前記便器側接続管を前記開口に対して回転自在に連結するジョイント部材を備える請求項１乃至請求項４に記載の排水ソケット。
【請求項６】
請求項３又は請求項４に記載の排水ソケットによって前記排水管に前記排出口が接続される前記便器を前記床面に固定する固定部材の固定位置を罫書くための型紙であって、
前記排水管の中心軸に対して、前記型紙を位置合わせするための位置合わせ手段と、
前記目盛部に前記指針部を合わせたときの、前記排水管の中心軸に対する前記排出口接続部の中心軸の前記便器の前後方向における移動量に応じて設けられる第１罫線と、
前記便器の前後方向と直交する方向を前記便器の左右方向とし、前記目盛部に前記指針部を合わせたときの、前記排水管の中心軸に対する前記排出口接続部の中心軸の前記左右方向における移動量に応じて設けられる第２罫線と、
前記固定部材の固定位置を表示する固定位置表示部と、
を備えた型紙。
【発明の詳細な説明】
【技術分野】
【０００１】
本発明は、床面に配設された排水管と水洗大便器の排出口とを接続する排水ソケット、及び、床面にネジ穴の位置を罫書くための型紙に関する。
【背景技術】
【０００２】
トイレ室をリフォームする際には、トイレ室の壁に新たな壁紙又は壁板を貼ることによって、トイレ室の壁の貼り替えなどを行う場合がある。水洗大便器は背面部をその後ろにある壁に寄せて設置される場合があるため、このように新たな壁板を貼ると水洗大便器の背後の隙間が生じなくなるため、もともとトイレ室に水洗大便器が設置されていた場所から、水洗大便器をトイレ室の手前側に移動させる場合があった。
【０００３】
トイレ室の壁に新たな壁板を張り付けるなどした際に水洗大便器を手前側に移動させる場合、水洗大便器の移動量は、例えば、新たに張り付ける壁板の厚み分の２０ｍｍ程度と僅かである。しかし、この移動によって水洗大便器の排出口と床面に配設された排水管との間に前後方向（水洗大便器の背面にある壁側を後ろとし、水洗大便器の背面にある壁と対向する壁側を前とする）のズレが生じる。
【０００４】
従来、このように排出口と排水管との間にズレが生じた場合には、特許文献１に示すような、水洗大便器の排出口に接続されたＬ字配管と、排水管に接続されたＬ字配管を、横引き配管で接続した排水ソケットによって接続していた。このような従来の排水ソケットでは、排出口と排水管とのズレに合わせて横引き配管の長さを変更することで、位置がずれている排出口と排水管を接続することができる。
【先行技術文献】
【特許文献】
【０００５】
【特許文献１】特許第２８３０４７６号公報
【発明の概要】
【発明が解決しようとする課題】
【０００６】
しかし、このような横引き配管の長さを変更する排水ソケットでは、横引き配管の長さを最小としても、排出口に接続されたＬ字配管と排水管に接続されたＬ字配管の接続箇所の長さ以下には調整できない場合があった。
【０００７】
そのため、従来の横引き配管の長さを変更する排水ソケットでは、水洗大便器の排出口と排水管との間に生じるズレが排水ソケットの調整可能な範囲を下回っていると対応できず、既設配管の微調整もしくは配管レイアウトのやり直しが必要となる場合があった。つまり、従来の排水ソケットでは、排水管の周囲において、前後方向に調整不能となる範囲が生じる場合があった。
【０００８】
本発明は、このような課題に鑑みてなされたものであり、排水管の周囲において、前後方向に調整不能となる範囲が生じることを抑制することができる排水ソケット、及び、型紙を提供することを目的とする。
【課題を解決するための手段】
【０００９】
上記課題を解決するために、第１の態様は、便器の排出口と、床面に配設された排水管とを接続する排水ソケットであって、一端が前記床面の前記排水管に接続され、他端に開口が形成される床面側接続管と、一端が前記開口に対して回転自在に接続され、他端に前記排出口が接続される排出口接続部が形成され、前記排出口接続部の中心軸が前記開口の中心軸から偏心している便器側接続管と、を備える排水ソケットである。
【００１０】
このような構成によれば、床面側接続管の開口に対して回転自在に接続されている便器側接続管を回転させることで、排出口接続部の中心軸から開口の中心軸までの距離（偏心距離）を半径とした円周上で、便器側接続管の排出口接続部の中心軸の位置を開口の中心軸に対して移動させることができる。したがって、便器側接続管を回転させることで、開口を中心とした偏心距離内で、排出口接続部の中心軸の前後方向の位置を調整することができる。これにより、便器側接続管の偏心距離内であれば、排水管の周囲において、前後方向に調整不可能となる範囲が存在しないため、排水管の周囲において、前後方向に調整不能となる範囲が生じることを抑制することができる。
【００１１】
また、第２の態様は、第１の態様において、前記床面側接続管、及び、前記便器側接続管の少なくとも一方には、前記開口の中心軸に対する前記排出口接続部の中心軸の位置を示す位置確認手段が形成されている排水ソケットである。
【００１２】
このような構成によれば、排水管と水洗大便器の排出口とのズレに合わせて、位置確認手段を確認して便器側接続管を回転させることができる。これにより、水洗大便器の取付前に便器側接続管の排出口接続部の中心軸の位置を設定することができ、便器の取り付け時に便器側接続管を微調整しながら回転させなくても良いので、取付作業を簡素化できる。
【００１３】
また、第３の態様は、第２の態様において、前記位置確認手段は、前記床面側接続管において前記開口の周囲に形成され、前記便器側接続管の前記床面側接続管に対する回転角度を表示する目盛部と、前記便器側接続管に形成され、前記目盛部を指す指針部と、を備える排水ソケットである。
【００１４】
このような構成によれば、指針部が指し示す目盛部を読み取ることで、床面側接続管に対する便器側接続管の回転角度を確認することができる。排出口接続部の中心軸の前後方向の位置は、床面側接続管に対する回転角度によって決まるので、排水管と水洗大便器の排出口とのズレに合わせて、水洗大便器の取付前に、回転角度を設定することができる。これにより、便器の取り付け時に微調整しながら回転角度を設定しなくても良いので、取付作業を簡素化できる。
【００１５】
また、第４の態様は、第２の態様において、前記位置確認手段は、前記床面側接続管において前記開口の周囲に形成され、前記便器側接続管の前記便器の前後方向における偏心距離を表示する目盛部と、前記便器側接続管に形成され、前記目盛部を指す指針部と、を備える排水ソケットである。
【００１６】
このような構成によれば、目盛部には回転角度に応じた排出口接続部の中心軸の前後方向の偏心距離が表示されているため、指針部が指し示す目盛部を読み取ることで、便器側接続管の排出口接続部の位置を確認することができる。作業者は排水管と排出口の前後方向のズレを確認したら、その数値に対応する目盛に指針部を合わせることで、容易に便器側接続管の位置を設定することができる。
【００１７】
また、第５の態様は、第１乃至第４の態様において、前記床面側接続管は、前記便器側接続管を前記開口に対して回転自在に固定するジョイント部材を備える排水ソケットである。
【００１８】
このような構成によれば、ジョイント部材によって便器側接続管を開口に固定した後であっても、便器側接続管を開口に対して回転させることができる。このように、便器側接続管を開口に固定した後で合っても、回転させることができるため、再度水洗大便器をずらして設置するといった場合にも対応することができる。
【００１９】
また、第６の態様は、第３又は第４の態様における排水ソケットによって前記排水管に前記排出口が接続される前記便器を前記床面に固定する固定部材の固定位置を罫書くための型紙であって、前記排水管の中心軸に対して、前記型紙を位置合わせするための位置合わせ手段と、前記目盛部に前記指針部を合わせたときの、前記排水管の中心軸に対する前記排出口接続部の中心軸の前記便器の前後方向における移動量に応じて設けられる第１罫線と、前記便器の前後方向と直交する方向を前記便器の左右方向とし、前記目盛部に前記指針部を合わせたときの、前記排水管の中心軸に対する前記排出口接続部の中心軸の前記左右方向における移動量に応じて設けられる第２罫線と、を備えた型紙である。
【００２０】
このような構成の型紙によれば、排出口接続部の中心軸の前後方向、及び、左右方向の移動量に合わせて、固定部材の取り付け位置を移動させることができる。
本発明の排水ソケットでは、便器側接続管を回転させることで、偏心距離を半径とした円周上で、便器側接続管の排出口接続部の中心軸の前後方向位置を開口の中心軸に対して移動させることができる。一方で、便器側接続管を回転させることで排出口接続部の位置を移動させているため、排出口接続部の位置は前後方向だけではなく左右方向にも移動する。そのため、本発明の排水ソケットに接続される便器も前後方向の位置を調整すると、左右方向にも移動することになる。この移動にあわせて、水洗大便器も左右方向に移動するので、水洗大便器を床面に固定する固定部材の取付位置も前後方向だけではなく、左右方向にも移動させることが好ましい。
従って、このような構成の型紙によれば、便器側接続管の指針部を目盛部に合わせた場合の、排出口接続部の中心軸の前後方向、及び、左右方向の移動量を第１罫線、及び、第２罫線によって確認することができる。そのため、この型紙を用いることで、排出口接続部の中心軸の移動量に合わせて固定部材の取り付け位置を移動させることができる。
【発明の効果】
【００２１】
本発明によれば、排水管の周囲において、前後方向に調整不能となる範囲が生じることを抑制することができる排水ソケットを提供することができる。
【図面の簡単な説明】
【００２２】
【図１】第１実施形態の排水ソケットを用いて床面に配設された排水管と接続されている水洗大便器の縦断面図である。
【図２】（ａ）は、第１実施形態の排水ソケットの平面図である。（ｂ）は、第１実施形態の排水ソケットの側面図である。
【図３】（ａ）は、第１実施形態の排水ソケットを構成する床面側接続管の平面図である。（ｂ）は、第１実施形態の排水ソケットを構成する床面側接続管の断面図である。
【図４】（ａ）は、第１実施形態の排水ソケットを構成する便器側接続管の平面図である。（ｂ）は、第１実施形態の排水ソケットを構成する便器側接続管の断面図である。
【図５】第１実施形態の排水ソケットを取り付ける前の床面を示す平面図である。
【図６】（ａ）は、排出口接続部の中心軸Ｏの左右方向の移動量に応じて設けられる第２罫線が引かれた型紙を示す図である。（ｂ）は、排出口接続部の中心軸Ｏの前後方向の移動量に応じて設けられる第１罫線が引かれた型紙を示す図である。
【図７】は、第１罫線が引かれた型紙と、第２罫線が引かれた型紙を組み合わせた型紙全体を示す図である。
【図８】型紙によって床面に第１実施形態の排水ソケットを固定するネジ穴及び固定部材のネジ穴が施工された床面を示す平面図である。
【図９】第１実施形態の排水ソケット及び排水ソケットによって排水管に排出口が接続される水洗大便器を床面に固定した状態を示す平面図である。
【図１０】（ａ）は、第２実施形態の便器側接続管の縦断面図である。（ｂ）は、第２実施形態の床面側接続管の縦断面図である。
【図１１】第２実施形態の排水ソケットの縦断面図である。
【図１２】第３実施形態の排水ソケットの床面側接続管を示す平面図である。
【図１３】第１実施形態の床面側接続管の変形例を示す平面図である。
【図１４】第１実施形態の床面側接続管の変形例を示す平面図である。
【発明を実施するための形態】
【００２３】
以下、添付図面を参照しながら本発明の実施の形態について説明する。説明の理解を容易にするため、各図面において同一の構成要素に対しては可能な限り同一の符号を付して、重複する説明は省略する。
【００２４】
＜第１実施形態＞
図１は第１実施形態の排水ソケット４０を用いて床面１０に配設された排水管１２と接続されている水洗大便器２０の縦断面図である。図２は第１実施形態の排水ソケット４０の平面図及び側面図である。図３は第１実施形態の排水ソケット４０を構成する床面側接続管５０の平面図及び断面図である。図４は第１実施形態の排水ソケット４０を構成する便器側接続管６０の平面図及び断面図である。
【００２５】
図１に示すように、第１実施形態の排水ソケット４０は、水洗大便器２０の排出口２２と床面１０に配設された排水管１２を接続する。このとき、水洗大便器２０の排出口２２の中心軸Ｓと排水管１２の中心軸Ｒがずれているため、排水ソケット４０はこのずれを吸収できるよう、偏心した構造となっている。
【００２６】
続いて、図２を用いて第１実施形態の排水ソケット４０の構造について説明する。図２（ａ）は排水ソケット４０の平面図であり、図２（ｂ）は排水ソケット４０の側面図である。図２（ａ）及び（ｂ）に示すように、排水ソケット４０は床面１０に配設される排水管１２に接続される床面側接続管５０と、水洗大便器２０の排出口２２に接続される便器側接続管６０から構成されている。
【００２７】
続いて、図３、及び、図４を用いて第１実施形態の排水ソケット４０を構成する床面側接続管５０及び便器側接続管６０について説明する。図３（ａ）は床面側接続管５０の平面図、図３（ｂ）は図３（ａ）のＡ−Ａ線における矢視断面図、図４（ａ）は便器側接続管６０の平面図、図４（ｂ）は図４（ａ）のＢ−Ｂ線における矢視断面図である。
【００２８】
図３（ａ）及び（ｂ）に示すように、床面側接続管５０は床面１０に載置される略円形形状のフランジ部５１を有しており、フランジ部５１には床面１０に対して床面側接続管５０をネジ固定するためのネジ穴５６が３箇所設けられている。また、このフランジ部５１の外周面には床面１０に対する床面側接続管５０の前後左右方向の位置を合わせるために、位置合わせ用目印５８ａ、及び、５８ｂが形成されている。
【００２９】
床面側接続管５０は図３（ａ）に示す矢印Ｖが水洗大便器２０の前後方向と一致するように床面１０に取り付けられる。ここで矢印Ｖの根元側が床面側接続管５０の後ろ側であり、先端側が床面側接続管５０の前側である。そのため、位置合わせ用目印５８ａは床面側接続管５０の前端側及び後端側にそれぞれ一つずつ形成されている。また、前後方向の位置を位置合わせするために、床面側接続管５０の左端側にも位置合わせ用目印５８ｂが形成されている。ここで、図３（ａ）に示す矢印Ｗが床面側接続管の左右方向であり、矢印Ｗの根元が床面側接続管５０の左側であり、矢印Ｗの先端側が右側である。
【００３０】
床面側接続管５０の略中心位置には床面側接続管５０の下端側から上端側に貫通する円筒形状の開口５２が形成されている。そのため、床面側接続管５０を床面１０に配設されている排水管１２に被せるように取り付けることで、この開口５２の床面側接続管５０の下端側の端部は排水管１２と接続される。そして、この開口５２の周囲には、後述する目盛部５４が開口５２の中心軸Ｑを中心とした放射状に形成されている。
【００３１】
続いて、図４（ａ）及び（ｂ）を用いて便器側接続管６０について説明する。図４（ａ）に示すように、便器側接続管６０の一方の端部には、床面側接続管５０の開口５２に挿入される開口接続部６６が形成されており、もう一方の端部には、水洗大便器２０の排出口２２が接続される排出口接続部６２が形成されている。また、排出口接続部６２と開口接続部６６は図４（ｂ）に示すように偏心しているため、斜めに傾いた円筒管部によって接続されている。
【００３２】
開口接続部６６は開口５２と同様に円筒形状であるため、便器側接続管６０は開口５２に対して開口接続部６６の中心軸Ｐを中心として回転自在に接続することができる。また、図４（ｂ）に示すように、便器側接続管６０は側面視において、排出口接続部６２の中心軸Ｏは開口接続部６６の中心軸Ｐから偏心している。開口接続部６６を開口５２に挿入すると、開口５２の中心軸Ｑと開口接続部６６の中心軸Ｐは一致するため、排出口接続部６２の中心軸Ｏは開口５２の中心軸Ｑから偏心している。
【００３３】
排出口接続部６２には、例えば、ゴム製のジョイント等が取り付けられており、このジョイントに水洗大便器２０の排出口２２を排出口接続部６２に挿し込むことで、ジョイントが排出口２２の外形に沿って変形し、排出口２２と排出口接続部６２を隙間なく接続することができる。
【００３４】
また、便器側接続管６０の側面には、平板状の指針部６４が形成されている。この指針部６４は図４（ａ）に示すように、平面視において、排出口接続部６２の中心軸Ｏと開口接続部６６の中心軸Ｐを結ぶ直線上に板を立てた状態で形成されている。
【００３５】
図２（ａ）に示すように、この指針部６４は便器側接続管６０の開口接続部６６を床面側接続管５０の開口５２に挿入した際に、開口５２の周囲に形成されている目盛部５４を指すように形成されている。第１実施形態の排水ソケット４０では、指針部６４の指し示す目盛部５４の値を読み取ることによって、開口５２の中心軸Ｑに対する、排出口接続部６２の中心軸Ｏの位置を確認することができる。つまり、目盛部５４と指針部６４は、床面側接続管５０の中心軸Ｑに対する排出口接続部６２の中心軸Ｏの位置を示す位置確認手段となっている。
【００３６】
この位置確認手段である目盛部５４及び、指針部６４を用いた排出口接続部６２の中心軸Ｏの位置の確認方法については、後述の第１実施形態の排水ソケット４０の取付方法と合わせて説明する。
【００３７】
続いて、図５、乃至、図９を用いて、第１実施形態の排水ソケット４０を用いた水洗大便器２０の施工方法について説明する。図５は第１実施形態の排水ソケット４０を取り付ける前の床面１０を示す平面図である。図６は排出口接続部６２の中心軸Ｏの左右方向の移動量に応じて設けられる第２罫線７３が引かれた型紙７１と、前後方向の移動量に応じて設けられる第１罫線７８が引かれた型紙７５を示す図である。図７は第１罫線７８が引かれた型紙７５と、第２罫線７３が引かれた型紙７１を組み合わせた型紙７０全体を示す図である。図８は型紙７０によって床面１０に第１実施形態の排水ソケット４０を固定するネジ穴１８及び固定部材３０のネジ穴１６が施工された床面１０を示す平面図である。図９は第１実施形態の排水ソケット４０及び排水ソケット４０によって排水管１２に排出口２２が接続される水洗大便器２０を床面１０に固定した状態を示す平面図である。
【００３８】
図５は一点鎖線で示す位置に取り付けられていた水洗大便器２０が取り外された後の床面１０を示す平面図である。図５に示すように、水洗大便器２０は床面１０に対して、壁面１４ａ側に水洗大便器２０の前側が向けられ、壁面１４ｂ側に水洗大便器２０の後ろ側が向けられるように取り付けられる。また、床面１０には、水洗大便器２０が接続される排水管１２が設けられており、排水管１２は水洗大便器２０の後ろ側の壁となる壁面１４ｂに寄せて配設されている。
【００３９】
また図５では、例えば、トイレ室の壁紙の張り替えなどのために、元の壁面１４ｃに壁板１５が重ねて貼られている。そのため、壁板１５を貼る前の壁面１４ｃから排水管１２の中心軸Ｒまでの距離Ａに比べて、壁板１５を貼った後の壁面１４ｂから排水管１２の中心軸Ｒまでの距離Ｂは短くなっている。
【００４０】
水洗大便器２０は、トイレ室内の空間を広くするために水洗大便器２０の後ろ側となる壁面１４ｂに寄せて設置するのが好ましい。一方で、水洗大便器２０には、図示しない洗浄水タンク等の別部品を組み付けて設置される場合があるので、排水管１２の中心軸Ｒと壁面１４ｂとの距離が短いと、これらの部品が壁面１４ｂと干渉し、水洗大便器２０を設置できなくなる場合がある。
【００４１】
そのため、水洗大便器２０には、設置時に後ろ側となる壁面１４ｂとの距離が適正となるような、排出口２２の中心軸Ｓと後ろ側となる壁面１４ｂとの距離が設定されている場合がある。新築時等の際に床面１０に対して排水管１２を配設する際には、排水管１２の中心軸Ｒと壁面１４ｂとの距離が、この水洗大便器２０に設定されている適正距離となるように配設される。
【００４２】
例えば、水洗大便器２０に設定されている排出口２２の中心軸Ｓと後ろ側となる壁面１４ｂとの適正距離が２００ｍｍと設定されているものとすると、図５に示す床面１０では、水洗大便器２０に設定されている適正距離である２００ｍｍに合わせて、壁板１５を貼る前の壁面１４ｃと排水管１２の中心軸Ｒとの距離Ａが２００ｍｍに設定されている。従って、壁板１５を貼る前の壁面１４ｃに壁板１５を貼りつけると、壁板１５の厚み分だけ水洗大便器２０を壁面１４ａ側に移動して設置する必要がある。
【００４３】
第１実施形態の排水ソケット４０では、この移動量に応じて指針部６４を目盛部５４に合わせることで、排出口接続部６２の中心軸Ｏを排水管１２の中心軸Ｒに対して前後方向に移動させることができる。第１実施形態の排水ソケット４０を用いて、排出口接続部６２の位置を移動させる方法について説明する。ここで説明のために、図４（ｂ）に示される便器側接続管６０の開口６６の中心軸Ｐと排出口接続部６２の中心軸Ｏとの偏心距離は５０ｍｍであるものとする。
【００４４】
図３（ａ）に示すように、第１実施形態の床面側接続管５０の目盛部５４は、開口５２の中心軸Ｑを中心として、放射状に形成されている。また、目盛部５４は開口５２の中心軸Ｑを中心として、床面側接続管５０の左側にのみ形成されている。つまり、目盛部５４は、中心軸Ｑから真後ろ方向に形成される１５０ｍｍと表示されている目盛５４ａから、中心軸Ｑから前方向に形成される２５０ｍｍと表示されている目盛５４ｅまで、開口５２の周囲１８０度に亘って形成されている。また、目盛部５４の９０度となる位置には、２００ｍｍと表示されている目盛５４ｃが形成されている。
【００４５】
ここで、目盛５４ａ〜５４ｅに表示されている距離をｈ、水洗大便器２０に設定されている排出口２２の中心軸Ｓから後ろ側の壁面１４ｂまでの適正距離をｉ、目盛５４ａ〜５４ｅに指針部６４を合わせたときの排出口接続部６２の前後方向の偏心距離をｊ（開口５２の中心軸Ｑから前側を正、後ろ側を負とする）とすると、排出口接続部６２の中心軸Ｏの前後方向の偏心距離ｊは［数１］で表される。
【００４６】
【数１】
2016084584.tif 000003
【００４７】
つまり、１５０ｍｍと表示されている目盛５４ａは、目盛５４ａに指針部６４を合わせた時に、排出口接続部６２の中心軸Ｏの前後方向の偏心距離が、開口５２の中心軸Ｑから前側に５０ｍｍとなる位置に設けられている。また、例えば、２５０ｍｍと表示されている目盛５４ｅは、目盛５４ｅに指針部を合わせた時に、排出口接続部６２の中心軸Ｏの前後方向の偏心距離が、開口５２の中心軸Ｑから後ろ側に５０ｍｍとなる位置に設けられている。その他の目盛５４ｂ〜５４ｄについても同様である。この目盛部５４ａ〜５４ｅの位置は、便器側接続管６０の指針部６４を合わせた時に、［数１］に示す関係を満たすように、三角定理などを用いて予め計算された位置に形成されている。
【００４８】
また、距離の表示されている各目盛５４ａ〜５４ｅの間には、距離の表示されていない目盛５４ｆが複数設けられており、これらの目盛５４ｆは指針部６４をある目盛５４ｆに合わせた時に、隣り合う目盛５４ａ〜５４ｆから、排出口接続部６２の中心軸Ｏの前後方向の偏心距離が５ｍｍずつ移動するよう、三角定理等を用いて予め計算された位置に形成されている。
【００４９】
次に、目盛５４ａ〜５４ｅが［数１］に示す関形式を満たすように表示されている理由について図５を用いて説明する。なお、ここでは説明のために壁板１５の厚みを２５ｍｍとする。
【００５０】
既に説明したように、図５に示す床面１０の後ろ側の壁面１４ｃには壁板１５が重ねて貼られているため、水洗大便器２０の後ろ側となる壁面１４ｂから排水管１２の中心軸Ｒまでの距離Ｂは、壁板１５を貼る前の壁面１４ｃまでの距離Ａと比べて壁板１５の厚みである２５ｍｍだけ短い、１７５ｍｍとなっている。
【００５１】
このとき、水洗大便器２０の排出口２２の中心軸Ｓから壁面１４ｂまでの距離を水洗大便器２０の適正距離である２００ｍｍとするためには、第１実施形態の排水ソケット４０において、排出口接続部６２の中心軸Ｏの前後方向の偏心距離を前側に２５ｍｍとすれば良いが、この偏心距離を求めるために計算をする必要があるため、計算間違いをした場合には、適切な偏心距離に設定されない可能性がある。
【００５２】
そのため、目盛５４ａ〜５４ｅに表示される距離を、排水管１２の中心軸Ｒから水洗大便器２０の後ろ側となる壁面１４ｂまでの距離とすることで、排水ソケット４０の取付作業者は排水管１２の中心軸Ｒから水洗大便器２０の後ろ側となる壁面１４ｂまでの距離を測定し、その測定した距離と一致する目盛５４ａ〜５４ｅに指針部６４を合わせることで計算を行うことなく、便器側接続管６０を適切な偏心距離に設定することができる。
【００５３】
つまり、［数１］において、目盛５４ａ〜５４ｅに表示されている距離ｈは排水管１２の中心軸Ｒから水洗大便器２０の後ろ側となる壁面１４ｂまでの距離となっている。そのため、作業者が排水ソケット４０が設置される床面１０に配設されている排水管１２と後ろ側の壁面１４ｂとの距離を測定し、測定した距離に合致する目盛部５４に指針部６４を合わせることで、計算を行うことなく、便器側接続管６０の排出口側接続部６２の中心軸Ｏの前後方向の偏心距離を適切に設定することができる。
【００５４】
また、目盛部５４と指針部６４によって便器側接続管６０の排出口側接続部６２の中心軸Ｏの前後方向の偏心距離を設定したら、接着剤などによって床面側接続管５０の開口５２と便器側接続管６０の開口接続部６６を接着固定する。このようにすることで、開口５２と開口接続部６６の間から水漏れなどが発生することを防止することができる。
【００５５】
続いて、図６、乃至、図８を用いて床面１０へのネジ穴１６及び１８を施工する方法について説明する。図６、及び、図７はネジ穴１６及び１８の位置を罫書く際に使用する型紙７０を示す図である。図８は型紙７０を用いてネジ穴１６及び１８を施工した後の床面１０を示す図である。
【００５６】
水洗大便器２０を床面１０に固定する場合、図１に示すように、水洗大便器１０の前方を固定部材３０にネジ固定する場合がある。通常、この固定部材３０は水洗大便器２０の左右方向の中央に設置される。
【００５７】
しかし、第１実施形態の排水ソケット４０によって排水管１２に排出口２２が接続される水洗大便器２０を床面１０に取り付ける場合、排水ソケット４０の便器側接続管６０の排出口接続部６２は、床面１０の前後方向だけではなく、左右方向にも移動するため、固定部材３０の固定位置も便器側接続管６０に合わせて移動させる必要がある。
【００５８】
第１実施形態の排水ソケット４０では、この固定部材３０の固定位置を罫書くために図６、及び、図７に示す型紙７０を用いる。図６に示すように、型紙７０は二つの型紙７１、及び、７５を有している。
【００５９】
型紙７１は、図６（ａ）に示すように、排水管１２の中心軸Ｒに対して、型紙７１の位置を位置合わせするために十字状の中心線７２が設けられている。床面１０に設けられる排水管１２の周囲には、図５に示すように、排水ソケット４０と排水管１２の中心軸Ｒ、及び排水ソケット４０の前後左右方向の位置を位置合わせするための罫書き線１９が設けられている場合があり、この罫書き線１９と型紙７１に設けられている十字状の中心線７２を重ねることで、排水管１２の中心軸Ｒに対して、型紙７１の位置を位置合わせすることができる。
【００６０】
また型紙７１は、排水ソケット４０の目盛部５４に指針部６４を合わせた時の、排水管１２の中心軸Ｒに対する排出口接続部６２の中心軸Ｏの左右方向の偏心距離に応じて設けられる第２罫線７３を有している。第２罫線７３は床面側接続管５０に形成されている目盛部５４の距離が表示されている目盛５４ａ〜５４ｅに対応する第２罫線７３には、目盛５４ａ〜５４ｅに表示されている距離と同じ距離が表示されている。また型紙７１には、排水ソケット４０の床面接続管５０に設けられるネジ穴５６の位置を床面１０に罫書くためのネジ穴位置７４が記入されている。
【００６１】
型紙７５は、図６（ｂ）に示すように長方形形状をしており、長手方向に沿って記入されている中心線７６を有している。この中心線７６の両側には固定部材３０の固定位置表示部であるネジ穴位置７７が記入されている。また、型紙７５は排水ソケット４０の目盛部５４に指針部６４を合わせた時の、排水管１２の中心軸Ｒに対する便器側接続管６０の中心軸Ｏの前後方向の偏心距離に応じて設けられる第１罫線７８を有している。第１罫線７８は床面側接続管５０に形成されている目盛部５４の目盛５４ａ〜５４ｆの数と同じ本数だけ設けられており、距離が表示されている目盛５４ａ〜５４ｅに対応する第２罫線７３には、目盛５４ａ〜５４ｅと同じ距離が表示されている。
【００６２】
この型紙７０を用いて固定部材３０のネジ穴位置７７を罫書く際には、まず、第１実施形態の排水ソケット４０において、指針部６４を合わせた目盛部５４と対応する型紙７５の第１罫線７８で型紙７５を折る。そして、図７に示すように、第１罫線７８で折った型紙７５の中心線を、型紙７１に設けられている第２罫線７３のうち、指針部６４を合わせた目盛部５４と対応する第２罫線７３に合わせる。またこのとき、型紙７５の第１罫線７８において折り曲げた辺を型紙７１の前側の端辺７１ａに合わせる。
【００６３】
第１罫線７８は目盛部５４の各目盛５４ａ〜５４ｆに合わせた時の排出口接続部６２の中心軸Ｏの前後方向の位置に合わせて設けられており、且つ、固定部材３０のネジ穴位置７７は第１罫線７８を基準として記入されているので、指針部６４が合わせられている目盛部５４に応じて固定部材３０のネジ穴位置７７の前後方向の位置を合わせることができる。また、第２罫線７３は目盛部５４の各目盛５４ａ〜５４ｆに合わせた時の排出口接続部６２の中心軸Ｏの左右方向の位置に合わせて設けられているので、指針部６４が合わせられている目盛部５４に応じて固定部材３０のネジ穴位置７７の左右方向の位置を合わせることができる。したがって、型紙７１と７５を組み合わせた型紙７０によって、排出口接続部６２の中心軸Ｏの移動量に合わせて固定部材３０の取り付け位置であるネジ穴位置７７を移動させることができる。
【００６４】
そして、この型紙７１と７５を組み合わせた型紙７０を用いることで、排出口接続部６２の中心軸Ｏの移動量に合わせて移動させた固定部材３０のネジ穴位置７７を床面１０に罫書き穴開け等をすることで、図８に示すように、固定部材３０を固定するためのネジ穴１６を施工することができる。また型紙７１に設けられている床面側接続管５０のネジ穴位置７４も併せて罫書くことで、排水ソケット４０の床面側接続管５０を床面１０に固定するためのネジ穴１８を施工することができる。
【００６５】
以上説明したように、床面１０へのネジ穴１６及び１８の施工が完了したら、図９に示すように、第１実施形態の排水ソケット４０及び、固定部材３０を床面１０にネジ３２及び、４２によって固定する。そして、床面１０に固定された排水ソケット４０及び、固定部材３０に対して水洗大便器２０を取り付ける。
【００６６】
以上説明した通り、第１実施形態の排水ソケット４０では、床面側接続管５０の開口５２に対して回転自在に接続されている便器側接続管６０を回転させることで、排出口接続部６２の中心軸Ｏから開口５２の中心軸Ｑまでの距離（偏心距離）を半径とした円周上で便器側接続管６０の排出口接続部６２の中心軸Ｏの位置を開口５２の中心軸Ｑに対して移動させることができる。従って、便器側接続管６０を回転させることで、開口５２を中心とした偏心距離内で、排出口接続部６２の中心軸Ｏの前後方向の位置を調整することができる。これにより、便器側接続管６０の偏心距離内であれば、排水管１２の周囲において、前後方向に調整不可能となる範囲が存在しないため、排水管１２の周囲において、前後方向に調整不能となる範囲が生じることを抑制することができる。
【００６７】
また、第１実施形態の排水ソケット４０では、排水管１２と水洗大便器２０の排出口２２とのずれに合わせて、位置確認手段である目盛部５４と指針部６４を確認して便器側接続管６０を回転させることができる。これにより、水洗大便器２０の取付前に便器側接続管６０の排出口接続部６２の中心軸Ｏの位置を設定することができ、水洗大便器２０の取り付け時に便器側接続管６０を微調整しながら回転させなくても良いので、取付作業を簡素化できる。
【００６８】
また、第１実施形態の排水ソケット４０の床面側接続管５０には、排出口接続部６２の中心軸Ｏの前後方向の偏心距離が［数１］の関形式を満たすように表示されているので、指針部６４が指し示す目盛部を読み取ることで、便器側接続管６０の排出口接続部６２の位置を確認することができる。そのため、排水ソケット４０を取り付ける作業者は、排水管１２の中心軸Ｒから後ろ側の壁面１４ｂまでの距離に対応する目盛部５４に指針部６４を合わせることで、容易に便器側接続管の位置を設定することができる。
【００６９】
また、第１実施形態の排水ソケット４０では、便器側接続管６０を回転させることで、偏心距離を半径とした円周上で、便器側接続管６０の排出口接続部６２の中心軸Ｏの前後方向位置を床面側接続管５０の開口５２の中心軸Ｑに対して移動させることができる。一方で、便器側接続管６０を回転させることで排出口接続部６２の位置を移動させているため、排出口接続部６２の位置は前後方向だけではなく左右方向にも移動する。そのため、排出口接続部６２の中心軸Ｏの前後方向の偏心距離を調整すると、排出口接続部６２の中心軸Ｏは左右方向にも移動することになる。この移動にあわせて、水洗大便器２０も前後方向だけではなく左右方向にも移動するので、水洗大便器２０を床面１０に固定する固定部材３０の取付位置も前後方向だけではなく、左右方向にも移動させることが好ましい。
【００７０】
そのため、以上説明したような型紙７０によれば、便器側接続管６０の指針部６４を目盛部５４に合わせた場合の、排出口接続部６２の中心軸Ｏの前後方向、及び、左右方向の移動量を第１罫線７８、及び、第２罫線７３によって確認することができる。そのため、この型紙７０を用いることで、排出口接続部６２の中心軸Ｏの移動量に合わせて固定部材３０の取り付け位置であるネジ穴位置７７を移動させることができる。
【００７１】
また、第１実施形態の排水ソケット４０では説明のために、水洗大便器２０の排出口２２の中心軸Ｓから後ろ側の壁面１４ｂまでの適正距離を２００ｍｍとして説明したが、適正距離の値は水洗大便器２０の種類によって異なるものであり、様々な値に設定されるものである。また、便器側接続管６０の開口接続部６６の中心軸Ｐから排出口接続部６２の中心軸Ｏまでの偏心距離を５０ｍｍとして説明したが、便器側接続管６０の偏心距離は排水ソケット４０の設計に応じて様々な値に設定されるものである。また、距離の表示される目盛５４ａ〜５４ｅの個数、及び、距離の表示されない目盛５４ｆの個数などは、これに限定されるものではなく、様々な個数に設定することができるものである。
【００７２】
また、第１実施形態の排水ソケット４０では、床面１０に配設された排水管１２の中心軸Ｒに対して、便器側接続管６０の排出口接続部６２の中心軸Ｏを前側に移動させる場合について説明したが、これに限られるものではなく、便器側接続管６０の偏心距離を半径とする円周上であれば、排出口接続部６２の中心軸Ｏを後ろ側に移動させることもできる。
【００７３】
＜第２実施形態＞
続いて、図１０、及び、図１１を用いて第１実施形態の変形例である、第２実施形態の排水ソケット８０について説明する。図１０（ａ）は排水ソケット８０を構成する便器側接続管１００の縦断面図、図１０（ｂ）は排水ソケット８０を構成する床面側接続管９０の縦断面図である。図１１は床面側接続管９０と便器側接続管１００を組み合わせた第２実施形態の排水ソケット８０の縦断面図である。
【００７４】
図１０（ｂ）に示すように、第２実施形態の排水ソケット８０の床面側接続管９０は、その開口９２にゴム等の弾性を有する材料によって形成されたジョイント部材９４が取り付けられている。ジョイント部材９４は、便器側接続管１００の開口接続部１０６が挿入される側に取り付けられており、図１１に示すように、このジョイント部材９４に対して便器側接続管１００の開口接続部１０６を挿入することで、床面側接続管９０と便器側接続管１００を連結する。
【００７５】
床面側接続管９０の開口９２と便器側接続管１００の開口接続部１０６はジョイント部材９４の摩擦によって連結されているため、接着剤などを用いることなく床面側接続管９０と便器側接続管１００を連結することができ、ジョイント部材９４によって便器側接続管１００を床面側接続管９０の開口９２に連結した後であっても、便器側接続管１００を開口９２に対して回転させることができる。これにより、再度水洗大便器２０をずらして設置するといった場合にも対応することができる。
【００７６】
＜第３実施形態＞
続いて、図１２を用いて第１実施形態の変形例である、第３実施形態の排水ソケット１１０の床面側接続管１２０について説明する。図１２は第３実施形態の排水ソケット１１０の床面側接続管１２０を示す平面図である。
【００７７】
図１２に示すように、第３実施形態の床面側接続管１２０では、目盛部１２４の目盛１２４ａ〜１２４ｅに便器側接続管６０の床面側接続管１２０に対する回転角度が表示されている。
具体的には、開口１２２の中心軸Ｑから真後ろ方向に形成される目盛１２４ａに０°と表示されており、中心軸Ｑから前方向に形成される目盛１２４ｅに１８０°と表示されている。また、０°の目盛１２４ａから１８０°の目盛１２４ｅの間に形成されている目盛１２４ｂ〜１２４ｄには４５°から１３５°まで、４５度間隔で角度が表示されている。
【００７８】
第３実施形態の排水ソケット１１０の床面側接続管１２０では、便器側接続管６０の指針部６４が指し示す目盛部１２４を読み取ることで、床面側接続管１２０に対する便器側接続管６０の回転角度を確認することができる。便器側接続管６０の排出口接続部６２の中心軸Ｏの前後方向の偏心距離は、床面側接続管１２０に対する回転角度によって決まるので、排水管１２と水洗大便器２０の排出口２２とのずれに合わせて、水洗大便器２０の取付前に、便器側接続管６０の回転角度を設定することができる。これにより、水栓大便器２０の取り付け時に便器側接続管６０を微調整しながら回転角度を設定しなくても良いので、排水ソケット１１０の取付作業を簡素化できる。
【００７９】
また、図１２に示す第３実施形態の床面側接続管１２０にける、角度が表示されている目盛１２４ａ〜１２４ｅの個数はこれに限定されるものではなく、様々な個数とすることができる。
【００８０】
＜変形例＞
以上、本願の開示する技術の実施形態について説明したが、本願の開示する技術は上記に限定されるものではない。
【００８１】
例えば、図３において、目盛５４ａ〜５４ｅに表示されている距離は［数１］の関係式を満たすように表示されていると説明したが、図１３に示すように、各目盛５４ａ〜５４ｅに便器側接続管６０の指針部６４を合わせた時の排出口接続部６２の中心軸Ｏの前後方向の偏心距離が表示されていても良い。
【００８２】
また、図２〜図４において、目盛部５４は床面側接続管５０に形成され、指針部６４は便器側接続管６０に形成されていると説明したが、本発明に係る目盛部５４、及び、指針部６４の形態はこれに限定されるものではなく、例えば、目盛部５４を便器側接続管６０に形成し、指針部６４を床面側接続管５０に形成しても良い。
【００８３】
また、図３、及び、図１３等において、目盛部５４は排出口接続部６２の中心軸Ｏの前後方向の偏心距離が表示されていると説明したが、本発明に係る目盛部５４の形態はこれに限定されるものではなく、例えば、図１４に示すように、床面接続管１３０の目盛部１３４を排出口接続部６２の左右方向の偏心距離を表示するようにしても良い。
このようにすることで、例えば床面１０の左右側の壁面に手すりやキャビネット等を取り付けることで、水洗大便器２０の取り付け位置を左右方向に移動させる場合にも対応することができる。
【００８４】
また、図３、及び、図１３において、目盛部５４、又は、目盛１３４は排出口接続部６２の中心軸Ｏの前後方向の偏心距離、又は、左右方向の偏心距離が表示されていると説明したが、本発明に係る目盛部５４の形態はこれに限定されるものではなく、例えば、前後方向、及び、左右方向の偏心距離が両方表示されていてる目盛部としても良い。
【００８５】
前述した各実施形態が備える各要素は、技術的に可能な限りにおいて組み合わせることができ、これらを組み合わせたものも本発明の特徴を含む限り本発明の範囲に包含される。
【符号の説明】
【００８６】
１０：床面
１２：排水管
１４ａ〜ｃ：壁面
１５：貼り増しした壁
１６：固定部材ネジ穴
１８：排水ソケットネジ穴
２０：水洗大便器
２２：排出口
３０：固定部材
３２：ネジ
４０：排水ソケット
５０：床面側接続管
５１：フランジ部
５２：開口
５４：目盛部（位置確認手段）
５４ａ〜ｆ：目盛
５６：ネジ穴
５８ａ、ｂ：位置合わせ用目印
６０：便器側接続管
６２：排出口接続部
６４：指針部（位置確認手段）
６６：開口接続部
７０：型紙
７１：型紙
７２：中心線
７３：第２罫線
７４：ネジ穴位置
７５：型紙
７６：中心線
７７：固定部材ネジ穴位置（固定位置表示部）
７８：第１罫線
８０：排水ソケット
９０：床面側接続管
９１：フランジ部
９２：開口
９４：ジョイント部材
９６：ネジ穴
１００：便器側接続管
１０２：排出口接続部
１０４：指針部
１０６：開口接続部
１１０：排水ソケット
１２０：床面側接続管
１２１：フランジ部
１２２：開口
１２４：目盛部（位置確認手段）
１２４ａ〜ｆ：目盛
１２６：ネジ穴
１２８ａ，ｂ：位置合わせ用目印
１３０：床面側接続管
１３１：フランジ部
１３２：開口
１３４：目盛部（位置確認手段）
１３６：ネジ穴
１３８ａ，ｂ：位置合わせ用目印
Ｏ：排出口接続部の中心軸
Ｐ：開口接続部の中心軸
Ｑ：開口の中心軸
Ｒ：排水管の中心軸
Ｓ：排出口の中心軸
【図１】
2016084584.tif 000004
【図２】
2016084584.tif 000005
【図３】
2016084584.tif 000006
【図４】
2016084584.tif 000007
【図５】
2016084584.tif 000008
【図６】
2016084584.tif 000009
【図７】
2016084584.tif 000010
【図８】
2016084584.tif 000011
【図９】
2016084584.tif 000012
【図１０】
2016084584.tif 000013
【図１１】
2016084584.tif 000014
【図１２】
2016084584.tif 000015
【図１３】
2016084584.tif 000016
【図１４】
2016084584.tif 000017